(57)【特許請求の範囲】
【請求項１】
縦長の取付板の側方に支持板が起立した基枠体の内側に、施錠杆が前記支持板に沿って上下に摺動可能に配設され、該施錠杆が引張バネにより施錠方向に付勢され、前記取付板が本体枠に対し開閉可能とされた前面枠に取り付けられ、前記支持板の上部と下部に設けられた支軸を中心に軸支され、前記施錠杆の摺動に連動して施錠位置と解錠位置との間で回動可能な鉤部材が、本体枠に取り付けられた受け金具に係合することで施錠され、前記取付板に取り付けられたシリンダ錠の解錠操作によって、前記引張バネの付勢力に抗し前記施錠杆を支持板に沿って摺動させて、前記鉤部材を施錠位置から解錠位置に回動させ、前記鉤部材と前記受け金具との係合を解除することで解錠を行う遊技機の施錠装置であって、
前記鉤部材の一側縁に前記受け金具を受け入れる切欠が設けられ、該切欠により前記鉤部材の先端側に鉤爪部が形成され、該鉤爪部の前記切欠側が前記支軸の軸心を中心とする円弧形状の係合用縁となっており、
前記鉤部材の施錠位置における前記鉤部材の係合用縁と前記施錠杆の摺動方向と平行な接線との接点が、前記施錠杆の摺動方向と直交し前記支軸の軸心を通る直線上に位置するように設定され、
前記施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっていることを特徴とする遊技機の施錠装置。
【請求項２】
前記鉤部材の係合用縁と前記施錠杆の摺動方向と平行な接線との接点が、円柱状受け金具との係合当接点となっていることを特徴とする請求項１記載の遊技機の施錠装置。
【請求項３】
縦長の取付板の側方に支持板が起立した基枠体の内側に、施錠杆が前記支持板に沿って上下に摺動可能に配設され、該施錠杆が引張バネにより施錠方向に付勢され、前記取付板が本体枠に対し開閉可能とされた前面枠に取り付けられ、前記支持板の上部と下部に設けられた支軸を中心に軸支され、前記施錠杆の摺動に連動して施錠位置と解錠位置との間で回動可能な鉤部材が、本体枠に取り付けられた受け金具に係合することで施錠され、前記取付板に取り付けられたシリンダ錠の解錠操作によって、前記引張バネの付勢力に抗し前記施錠杆を支持板に沿って摺動させて、前記鉤部材を施錠位置から解錠位置に回動させ、前記鉤部材と前記受け金具との係合を解除することで解錠を行う遊技機の施錠装置であって、
前記施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっていることを特徴とする遊技機の施錠装置。
【発明の詳細な説明】
【０００１】
【発明の属する技術分野】
この発明は、遊技機の前面枠を本体枠に対して施錠させる施錠装置に関するものである。さらに詳しくは、この発明は、パチンコ、パチスロ、スロットマシン、スマートボール、アレンジボール等に例示される遊技機の前面枠を本体枠に対して施錠したり解錠したりするのに好適な施錠装置に関するものである。
【０００２】
【従来の技術】
遊技機の前面枠は、一端が蝶番で本体枠に固定され、他端は自由端とされて本体枠に対し回動可能となっており、前面枠の自由端の背面に、本体枠に設けられた受け金具との施錠を可能とする施錠装置が取り付けられている。
【０００３】
従来より、例えば、登録実用新案第２５０８４５２号公報に記載の如き構造の施錠装置が知られており、これを図１６に示す。図１６では、受け金具、前面枠、および、本体枠も示している。この施錠装置７０は、概略、縦長の取付板７１の側方に支持板７２が起立した基枠体７３の内側に、施錠杆７４が支持板７２に沿って上下に摺動可能に配設され、施錠杆７４が引張バネ７５により施錠方向に付勢され、支持板７２の上部と下部に設けられた支軸７６、７６を中心に回動可能に軸支された鉤部材７７、７７と、施錠杆７４の上下端とがそれぞれ連結ピン７８、７８で連結され、前記取付板７１の中間部にシリンダ錠７９が取り付けられた構造をしている。
そして、ガイドピン８０が、施錠杆７４に穿設された長孔８１に挿通されて支持板７２に固定され、施錠杆７４がガイドピン８０によって案内されることで、施錠杆７４が支持板７２に沿って上下に摺動するようになっている。
【０００４】
このような施錠装置が設けられた遊技機においては、図示していない蝶番を支点にして前面枠８２を本体枠８３に対して閉鎖すると、本体枠８３に設けられた受け金具８４に鉤部材７７が当接し、鉤部材７７が上方に回動するとともに施錠杆７４が下方へ摺動する。そして、鉤部材７７の鉤爪部７７ａの先端が受け金具８４の上端縁を乗り越えると、施錠杆７４が引張バネ７５の復元力により施錠位置に戻り、受け金具８４に鉤部材７７が係合し、前面枠８２が本体枠８３に施錠される。そして、図示していないキーをシリンダ錠７９に差し込み、キー操作によりカム板８７を解錠方向に回動させて、施錠杆７４を下方に摺動させ、鉤部材７７を上方に回動させて受け金具８４と鉤部材７７との係合を解除し、蝶番を支点として前面枠を開くことができる。
【０００５】
この施錠装置７０の鉤部材７７と受け金具８４との係合関係について、さらに、詳細に説明する。
ここにおいて、上下の鉤部材７７、７７と受け金具８４、８４との係合関係は同一なことから、上方の鉤部材と受け金具に基づいて説明し、下方の鉤部材と受け金具については説明を省略する。図１７は施錠装置の上方部と受け金具の関係構造を示す部分拡大説明図である。なお、便宜上、本体枠と前面枠の図示は省略している。図１７に示されるように、鉤部材７７は、その下側縁に略台形状の切欠７７ｂが設けられ、該切欠７７ｂにより鉤部材７７の先端側に鉤爪部７７ａが形成され、該鉤爪部７７ａの切欠側は直線状の係合用縁７７ｃとなっており、施錠位置における前記鉤部材７７の係合用縁７７ｃは、施錠杆の摺動方向Ｘと平行（すなわち、前記施錠杆の摺動方向Ｘと直交し前記支軸７６の軸心を通る直線Ｙと直交）に設定されている。そして、切欠７７ｂの深さ、すなわち、切欠７７ｂの底縁７７ｄは、前記直線Ｙを越えた深さに及んでいる。
【０００６】
受け金具８４は板状であって、施錠状態において、図１７に示されるように、受け金具８４の上端縁が鉤部材７７の切欠７７ｂの底縁７７ｄと当接または底縁７７ｄ近傍にまで達しており、受け金具８４と鉤部材７７の係合用縁７７ｃが係合することになり、施錠状態において、前面枠を無理にこじ開けようとする力に抵抗することになる。
【０００７】
この鉤部材７７を受け金具８４に係合させて施錠したり、受け金具８４との係合を外して解錠するためには、鉤部材７７は、図１７の実線と２点鎖線で示すよう回動できること、すなわち、施錠状態における受け金具８４と鉤爪部７７ａとの間に、鉤部材７７が支軸７６を中心に回動できるだけの間隙ｔを設けることが必要である。
一方、この間隙ｔは、本体枠と前面枠との間のガタとして機能し、ガタの大きさによっては、例えば、先端にフックが形成された帯状で薄い鋼板や先端が折り曲げられてフックが形成されたピアノ線のような操作具をガタの間から挿入し、フックの先端を鉤部材７７に引っかけて引っ張り、鉤部材７７を支軸７６を中心に解錠方向に回動させると、受け金具８４と鉤部材７７との係合を解除でき、蝶番を支点として前面枠８２を開くことができることになる。このようにして、前面枠８２が開放されると、前面枠８２の背面に配設された機器や部品への操作が可能となり、これら機器や部品を改変したり、遊技機の勝率を制御するＲＯＭを勝率の高い裏ＲＯＭと交換するといった不正操作が可能となる。鉤部材７７の切欠７７ｂの底縁７７ｄまでの深さを深くする程間隙ｔを大きくすることが必要となることから、ガタもより大きくなることになる。
【０００８】
そして、必要とするガタよりも無理にガタを少なくするように受け金具８４を本体枠に取り付けたり、または、施錠装置７０の前面枠への取り付けや受け金具８４の本体枠への取り付け誤差等によって、受け金具８４と鉤爪部７７ａとの間隙ｔが不十分となった場合は、図１８に示すような不完全な施錠状態となり、この状態において、前面枠を無理にこじ開けようとする力が働くと、鉤部材７７と受け金具８４との係合点が徐々にずれ、鉤部材７７は支軸７６を中心に解錠方向に回動してゆき、比較的少ない力でも係合が外れ、前面枠が開いてしまうことになる。
【０００９】
そこで、遊技機の組立時等において、施錠時における受け金具８４と鉤部材７７との間隙ｔが不十分な場合や過大な場合を想定して、適正な間隙ｔに調整ができるように、受け金具８４の板厚をペンチ等で曲げることができる程度としている。しかしながら、受け金具８４をペンチ等で曲げて間隙ｔを調整する必要のある場合、前面枠を閉めた状態では、受け金具８４と鉤部材７７との関係は、前面枠が邪魔になって、直接確認ができない。間隙ｔの調整は、前面枠を開いて行うことになるが、カンに頼らざるを得ず、不正確になりやすく、また、適正な間隙ｔになるまで、調整を繰り返す必要があり、手間がかかり、コスト高に繋がる。
【００１０】
また、前述のように、受け金具は、ペンチ等の道具で曲げることができる程度の板厚であることから、強度が十分とは言い難く、施錠状態において、前面枠を不正操作等の目的で無理にこじ開けようとすると、受け金具が比較的容易に変形してしまい、前面枠が開けられてしまうことになる。
【００１１】
図１９に示すように、鉤部材７７の切欠７７ｂの深さを浅くして、施錠杆７４の摺動方向Ｘと直交し支軸７６の軸心を通る直線Ｙまでの深さとすると、図１７に示したような間隙ｔ（すなわち、ガタ）を受け金具８４と鉤爪部７７ａとの間に設けなくとも、図１９の実線と２点鎖線で示すように鉤部材７７を受け金具８４に係合させて施錠させたり、または、受け金具８４との係合を外して解錠させることができることになる。しかしながら、鉤部材７７の切欠７７ｂが浅いため、施錠状態における受け金具８４との係合が不十分となりやすい。図２０に示すように鉤爪部７７ａの先端を下方に延ばせば、施錠状態における受け金具８４と鉤部材７７との係合が十分となるが、鉤部材７７が大きくなり、コスト高となる。
【００１２】
ところで、従来の施錠装置７０は、図２１に示されるように、その構造上、施錠杆７４と連結された鉤部材７７が支軸７６の軸心を中心に回動するのに支障がないように、支持板７２には、連結ピン７８のかしめ部の逃がし用の湾曲長孔９０を穿設することが必要とされ、そして、施錠装置７０の組立においては、鉤部材７７の軸孔９１に支軸７６を挿通し、支軸７６を支持板７２にかしめ止めすること、および、鉤部材７７と施錠杆７４とを連結ピン７８でかしめて連結することが必要であり、製造上、多くの工程を必要とする。そして、このような構造においては、鉤部材７７を回動可能とする支軸７６の軸線と、鉤部材７７と施錠杆７４を連結する連結ピン７８の軸線とが平行となっていないと、鉤部材７７の回動、および／または施錠杆７４の摺動に無理な力を必要としたり、きしんだりすることから、鉤部材７７と受け金具８４との係合が円滑に行われなかったり、係合状態が不十分であったり、キー操作による解錠が円滑に行い難いといった欠点が指摘されていた。
【００１３】
【発明が解決しようとする課題】
この出願の発明は、上記のような実情に鑑み鋭意研究の結果創案されたものであり、受け金具との施錠または解錠が円滑で確実であり、しかも、容易に行うことができる遊技機の施錠装置、とりわけ、受け金具との施錠または解錠が円滑で確実であり、しかも、容易に行うことに加え、不正解錠等の不正操作を防止できることにもなる遊技機の施錠装置を提供することを目的とする。
【００１４】
【課題を解決するための手段】
上記課題を解決するため、この発明は、縦長の取付板の側方に支持板が起立した基枠体の内側に、施錠杆が前記支持板に沿って上下に摺動可能に配設され、該施錠杆が引張バネにより施錠方向に付勢され、前記取付板が本体枠に対し開閉可能とされた前面枠に取り付けられ、前記支持板の上部と下部に設けられた支軸を中心に軸支され、前記施錠杆の摺動に連動して施錠位置と解錠位置との間で回動可能な鉤部材が、本体枠に取り付けられた受け金具に係合することで施錠され、前記取付板に取り付けられたシリンダ錠の解錠操作によって、前記引張バネの付勢力に抗し前記施錠杆を支持板に沿って摺動させて、前記鉤部材を施錠位置から解錠位置に回動させ、前記鉤部材と前記受け金具との係合を解除することで解錠を行う遊技機の施錠装置であって、前記鉤部材の一側縁に前記受け金具を受け入れる切欠が設けられ、該切欠により前記鉤部材の先端側に鉤爪部が形成され、該鉤爪部の前記切欠側が前記支軸の軸心を中心とする円弧形状の係合用縁となっており、前記鉤部材の施錠位置における前記鉤部材の係合用縁と前記施錠杆の摺動方向と平行な接線との接点が、前記施錠杆の摺動方向と直交し前記支軸の軸心を通る直線上に位置するように設定され、前記施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっていることを特徴とする。
【００１５】
これによれば、鉤部材は、受け金具を受け入れるサイズの切欠を備え、その切欠側の受け金具と係合する係合用縁が円弧形状となっていることから、受け金具との係合用縁との間にガタとなる間隙を生ずるように設定しなくても、高々係合用縁と受け金具との間で僅かな摩擦力が発生する程度で、鉤部材は支軸を中心に円滑に回動することになり、確実に施錠することができ、また、解錠も円滑に行うことができる。
【００１６】
すなわち、前面枠を本体枠に対し閉鎖すると、鉤爪部が受け金具に当接し、引張バネの付勢力に抗し、支軸の軸心を中心に回動し、鉤部材の鉤爪部の先端が受け金具を乗り越えると、引張バネの復元力によって鉤部材が施錠位置に復帰して、受け金具が鉤部材と係合し、施錠状態となる。
施錠状態において、シリンダ錠の解錠操作を行うと、引張バネの付勢力に抗し施錠杆が支持板に沿って摺動し、該摺動に連動して鉤部材が支軸の軸心を中心に回動し、鉤部材が施錠位置から解錠位置になり、鉤部材と受け金具との係合が外れて解錠され、前面枠を本体枠に対し開くことができる。
【００１７】
そして、施錠状態において、蝶番を支点として前面枠を不正に水平方向にこじ開けようとする力が働いても、その力は、前記施錠杆の摺動方向と直交し前記支軸の軸心を通る直線に沿って働くことから、鉤部材が支軸を中心に解錠する方向に回動する恐れはなく、また、前面枠と本体枠との間に不正操作を行うことのできる間隙等が生ずることがない。
仮に、施錠状態における鉤部材の係合用縁と受け金具との間に取り付け誤差等を勘案して間隙（ガタ）を設けるとしても、その間隙（ガタ）は、図１６に示すような従来の板状の受け金具に対応した施錠装置と比べ、わずかで良く、そのため、前面枠と本体枠との間に不正操作を行うことのできる程の間隙等が生ずることがない。
【００１８】
そして、前記鉤部材の係合用縁と前記施錠杆の摺動方向と平行な接線との接点が、円柱状受け金具との係合当接点となっていてもよい。
【００１９】
また、前記施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっている。これにり、前記突起を、他方に穿設された長孔に係合させることで、施錠杆の摺動に連動して、鉤部材を回動させることが可能となり、従来の施錠装置のように、鉤部材と施錠杆とを連結ピンでかしめて連結する工程が必要なく、製造コストを低減することができる。また、従来の施錠装置のような支持板に連結ピンのかしめ部の逃がし用の湾曲長孔を穿設する必要がないことから、この点からも製造コストを低減することにもなる。また、従来の施錠装置においては、鉤部材の回動を可能とする支軸の軸線と、鉤部材と施錠杆を連結する連結ピンの軸線とが平行になっていないと、鉤部材の回動、および／または施錠杆の摺動に無理な力を必要としたり、きしんだりすることから、鉤部材と受け金具との係合が円滑、確実に行われなかったり、係合状態が不十分であったり、キー操作による解錠が円滑、容易に行い難いといった欠点があったが、この施錠装置では、かかる欠点がなく、施錠・解錠が円滑で確実であり、しかも、容易に行うことができることになる。
【００２０】
また、縦長の取付板の側方に支持板が起立した基枠体の内側に、施錠杆が前記支持板に沿って上下に摺動可能に配設され、該施錠杆が引張バネにより施錠方向に付勢され、前記取付板が本体枠に対し開閉可能とされた前面枠に取り付けられ、前記支持板の上部と下部に設けられた支軸を中心に軸支され、前記施錠杆の摺動に連動して施錠位置と解錠位置との間で回動可能な鉤部材が、本体枠に取り付けられた受け金具に係合することで施錠され、前記取付板に取り付けられたシリンダ錠の解錠操作によって、前記引張バネの付勢力に抗し前記施錠杆を支持板に沿って摺動させて、前記鉤部材を施錠位置から解錠位置に回動させ、前記鉤部材と前記受け金具との係合を解除することで解錠を行う遊技機の施錠装置であって、前記施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっていてもよい。
【００２１】
これによれば、施錠杆または前記鉤部材のいずれか一方に形成された前記突起を、他方に穿設された長孔に係合させることで、施錠杆の摺動に連動して、鉤部材を回動させることが可能となり、従来の施錠装置のように、鉤部材と施錠杆とを連結ピンでかしめて連結する工程が必要なく、製造コストを低減することができる。また、従来の施錠装置のような支持板に連結ピンのかしめ部の逃がし用の湾曲長孔を穿設する必要がないことから、この点からも製造コストを低減することにもなる。
【００２２】
また、従来の施錠装置においては、鉤部材の回動を可能とする支軸の軸線と、鉤部材と施錠杆を連結する連結ピンの軸線とが平行になっていないと、鉤部材の回動、および／または施錠杆の摺動に無理な力を必要としたり、きしんだりすることから、鉤部材と受け金具との係合が円滑、確実に行われなかったり、係合状態が不十分であったり、キー操作による解錠が円滑、容易に行い難いといった欠点があったが、この施錠装置では、かかる欠点がなく、施錠・解錠が円滑で確実であり、しかも、容易に行うことができる。
【００２３】
【発明の実施の形態】
以下、図面に基づきこの発明の態様を更に詳細に説明する。もちろんこの発明は以下の態様によって限定されるものではない。
図１は、この発明の遊技機の施錠装置の１態様を示す左側面図、図２は背面図を示す。
ここにおいて、施錠装置は、パチスロ機に使用されるものとして図示されている。
【００２４】
図１および図２から明らかなように、施錠装置１は、縦長の取付板２の側方に支持板３が起立した断面Ｌ字状の基枠体４の内側において、施錠杆５が支持板３に沿って上下に摺動可能に配設され、後述するような係合構造によって施錠杆５の摺動に連動して、支持板３の上部と下部に設けられた支軸６、６を中心に軸支された鉤部材７、７が、施錠位置と解錠位置との間で回動可能とされており（図１の矢印方向参照）、また、施錠杆５と支持板３の間にリセット作動杆８が上下に摺動可能に配設されている。
【００２５】
施錠杆５の摺動に連動して、支持板３の上部と下部に設けられた支軸６、６を中心に軸支された鉤部材７、７が、施錠位置と解錠位置との間で回動可能とされる構造は、施錠装置１の上部と下部とで機構的に同一であることから、施錠装置１の上部について図示して説明し、下部における同一の構造については説明を省略する。図３は施錠装置の上方部の部分拡大左側面図であり、鉤部材７が施錠位置にある状態であって、施錠杆５が上下方向（図ではＸ方向で示す）に摺動するものとして示されている。図４は、図３におけるＡ−Ａ線断面図である。
【００２６】
図３に示されるように、鉤部材７は、板状であって、その下側縁に湾曲状の切欠７ａが設けられ、その先端側に受け金具と係合する下向きの鉤爪部７ｂが形成されている。前記切欠７ａは、後述する受け金具１４を受け入れる大きさ（深さ、幅）を有し、鉤爪部７ｂの切欠側は支軸６の軸心Ｏを中心とする半径Ｒの円弧形状の係合用縁７ｃとなっており、鉤部材７の施錠位置における係合用縁７ｃの施錠杆５の摺動方向Ｘと平行な接線との接点が、施錠杆５の摺動方向Ｘと直交し支軸６の軸心Ｏを通る直線Ｙ上に位置するように設定されている。
鉤爪部７ｂの外側縁７ｄは、後述するように、施錠時に受け金具と当接し、鉤部材７を支軸６を中心に上方に回動させるため爪先に向かって傾斜した円弧状となっている。
【００２７】
鉤部材７の基部７ｅの支軸の挿通孔よりも取付板寄りの位置に穿設された長孔１０に、施錠杆５に形成された鉤部材側に突出する突起１１を係合させることで、施錠杆５の上下への摺動に連動し、鉤部材７が支軸６を中心に施錠位置と解錠位置との間で回動できるようになっている。
施錠杆５に形成した突起１１の突出量は、鉤部材７の厚さを越えないものとなっている。このような突起１１は、例えば、プレスによるダボ出し加工によって形成することができる。
【００２８】
そして、支持板３の後縁の上部と下部には、受け金具１４を受け入れる凹部３ａ、３ａがそれぞれ形成されており、下部の凹部３ａの下方位置には、湾曲した当接案内面を有するプラスチック製の当接部材１３が取り付けられている（図１参照）。
【００２９】
施錠装置１の鉤部材７と係合する受け金具１４は、図５の左側面図、図６の正面図に示す構造のものである。
図５、図６に示すように、受け金具１４、１４は、円柱状のピンで、基板１５の上下部に固定されている。受け金具１４、１４の基板１５への固定位置は、施錠装置１の鉤部材７が施錠位置にある状態において、鉤部材７の切欠７ａが受け金具１４を受け入れ、係合して施錠できる位置に設定されている。基板１５の下方の受け金具１４の下方位置には、前述した支持板３に取り付けられたプラスチック製の当接部材１３を受け止める受部材１６が取り付けられている。該受部材１６の前方側は、平坦部に続く傾斜面部となっている。
基板１５には、パチスロ機の本体枠に取り付けるための複数の止めネジ挿通孔１５ａが穿設されている。
【００３０】
図１、図２に示されるように、施錠杆５とリセット作動杆８の摺動は、後述するようにシリンダ錠１７のキー操作によって行われるようになっている。
支持板３に設けられた支軸６、６は、円柱状のピンが使用されており、支持板３の上下への摺動をガイドする機能も兼用するものである。支持板３の上下部に設けられた支軸６、６と中間部に設けられたピン１８が、施錠杆５の上下端部および中間部に穿設された長孔１９、１９、１９に挿通され、例えば、ピン１８が長孔１９の下端縁に当接する位置と上端縁に当接する位置との間で施錠杆５が上下に摺動することになる。
【００３１】
リセット作動杆８の上部に穿設された長孔２１には、前記中間部のピン１８が挿通されるとともに、リセット作動杆８の下部にはリセット作動片２２が設けられて、施錠杆５に穿設されたスリット２３を通り内側に突出しており、リセット作動杆８が上下に摺動できるようになっている。リセット作動片２２は、右方に直角に折り曲げられ（図１参照）、その先端が取付板２の近傍にまで達しており、リセット作動杆８の上方への摺動により図示していないリセットスイッチを作動させるようになっている。このリセットスイッチは、リセット作動片２２の有無を検出して、パチスロ機のリセット信号を出力するもので、リミットスイッチ等の接触スイッチが使用されるが、これに限られず、光電スイッチ等の非接触スイッチであってもよい。
【００３２】
リセット作動杆８の長孔２１の下方位置にはバネ掛止部２４が設けられ、施錠杆５のスリット２５を通って基枠体４の内側に突出している。該バネ掛止部２４には、引張バネ２６の一端が係止され、該引張バネ２６の他端は、施錠杆５に設けられたバネ掛止部２７に掛止されており、引張バネ２６によって、施錠杆５は上方に付勢され、リセット作動杆８は下方に付勢される。
【００３３】
取付板２の下方部は、幅広部２ａとされ、該幅広部２ａに穿設された孔にシリンダ錠１７が内側から挿入されて外側に突出し、シリンダ錠１７のフランジ部２９を介してネジ止めされている。シリンダ錠１７の錠軸３０は基枠体４の内側に突出し、該錠軸３０には、第１突部３１ａと第２突部３１ｂを備えたカム板３１が固定されている。第１突部３１ａは、シリンダ錠１７のキー操作によってカム板３１を図２の反時計方向に回動させたときに、施錠杆５の係合孔３２の下辺に係合して、施錠杆５を下方に摺動させる機能を果たし、第２突部３１ｂは、シリンダ錠１７のキー操作によってカム板３１を図２の時計方向に回動させたときに施錠杆５の逃がし窓３３を通って、リセット作動杆８の係合孔３４の上辺に係合して、リセット作動杆８を上方に摺動させる機能を果たすようになっている。
【００３４】
取付板２には、複数の止めネジ挿通孔２ｂが穿設されており、施錠装置１が止めネジでパチスロ機の前面枠の自由端の背面に取り付けられるようになっている。
【００３５】
図７に、パチスロ機の前面枠３７の自由端の背面に、上記のような構造の施錠装置１を取付板２の止めネジ挿通孔２ｂを利用してネジ（図示せず）で固定し、一方、受け金具１４、１４を、施錠状態において施錠装置１の鉤部材７、７と係合する位置に位置決めして、基板１５の止めネジ挿通孔１５ａを利用して本体枠３８にネジ（図示せず）で固定した状態を示す。図７においては、前面枠３７が、本体枠３８に対し図示していない蝶番を支点として、解放された状態を示している。
この状態における施錠装置１は、引張バネ２６の付勢力により、施錠杆５が上方位置にあって鉤部材７は施錠位置となっており、リセット作動杆８は下方位置にある。
【００３６】
そして、前面枠３７は、取り付けられている各種機器等の重量が加わることで自由端側が若干下がった状態にある。図示していない蝶番を支点にして前面枠３７を本体枠３８に対して閉鎖すると、先ず、施錠装置１の当接部材１３が、受部材１６に乗り上がり、前面枠３７の自由端側が上方に持ち上げられ、施錠装置１の鉤部材７と受け金具１４とが施錠に適した位置関係に調節される。次いで、鉤爪部７ｂの外側縁７ｄが受け金具１４に当接すると、鉤部材７は、引張バネ２６の付勢力に抗し、図８（ａ）に示すように支軸６の軸心Ｏを中心に上方に回動する。そして、鉤部材７の鉤爪部７ｂの下端が受け金具１４を乗り越えると、引張バネ２６の復元力によって鉤部材７が下方に回動し施錠位置に復帰することで、受け金具１４に鉤部材７が係合するとともに、支持板３の凹部３ａに受け金具１４が収まった図８（ｂ）に示す施錠状態となる。
【００３７】
図８（ｂ）の施錠状態からも明らかなように、鉤部材７の切欠７ａは、受け金具１４を受け入れる大きさ（深さ、幅）を有し、鉤爪部７ｂの切欠側は支軸６の軸心Ｏを中心とする半径Ｒの円弧形状の係合用縁７ｃとなっており、受け金具１４の半径ｒは、係合用縁７ｃの半径Ｒよりも小さいものとなっている。これにより、施錠状態における鉤部材７の係合用縁７ｃと受け金具１４との間に間隙（ガタ）が生じるようになっていなくても、前記したように、施錠時に上方に回動した鉤部材７の鉤爪部７ｂの先端が、受け金具１４を乗り越え、次いで、鉤部材７が、引張バネ２６の復元力によって施錠位置に復帰しようとする際、受け金具１４と係合用縁７ｃとは点接触による摩擦を生ずるに過ぎないことから、発生する摩擦力は僅かであり、施錠位置に戻らず途中に引っかかったりすることがなく、鉤部材７の円弧形状の係合用縁７ｃが受け金具１４の表面を滑りながら、その施錠位置にまで円滑に戻り、確実に施錠することができることになる。なお、解錠も同様に円滑に行うことができることはいうまでもない。
【００３８】
そして、施錠状態においては、支軸６の軸心Ｏ、受け金具１４の軸心Ｑ、および、鉤部材７の係合用縁７ｃと施錠杆５の摺動方向Ｘと平行な接線との接点Ｐは、直線Ｙ上に位置することになり、切欠７ａの深い係合位置で受け金具１４を係合することができ、確実な施錠状態を確保できる。前記接点Ｐは、鉤部材７の円弧形状の係合用縁７ｃが受け金具１４に外接する当接点ともなる。
【００３９】
この施錠状態において、蝶番を支点として前面枠３７を水平方向にこじ開けようとしても、受け金具１４は鉤部材７の円弧形状の係合用縁７ｃと前記接点Ｐで当接しており、力は直線Ｙ方向（水平方向）に作用するだけであって、鉤部材７が支軸６を中心に解錠する方向に回動する恐れはなく、また、前面枠３７と本体枠３８との間に不正操作を行うことのできる間隙等が生ずることがない。
この施錠装置１に対応した受け金具１４は、従来のような板状の受け金具と比べ、頑丈であり、前面枠３７をこじ開けようとする大きな力にも耐えうることから、安全で、確実な施錠をすることができる。
そして、従来のような板状の受け金具のように、ペンチ等で鉤部材との係合状態を調節する必要が無い等大きな利点が得られる。
【００４０】
仮に、施錠状態における鉤部材７の係合用縁７ｃと受け金具１４との間に取り付け誤差等を勘案して間隙（ガタ）を設けるとしても、その間隙（ガタ）は、図１６に示すような従来の板状の受け金具に対応した施錠装置と比べ、わずかで良く、そのため、前面枠３７と本体枠３８との間に不正操作を行うことのできる程の間隙等が生ずることがない。
【００４１】
また、仮に、図９に示すように、支軸６の軸心Ｏから鉤部材７の円弧形状の係合用縁７ｃまでの半径Ｒに比べ、支軸６の軸心Ｏから受け金具１４の軸心Ｑまでの距離Ｌと、受け金具１４の半径ｒとの和（Ｌ＋ｒ）の方が僅かでも大きい場合は、施錠状態とならないことから、容易に施錠装置１または受け金具１４の取り付けミスを発見でき、パチスロ機の施錠不良を見過ごす恐れがない。
【００４２】
また、この施錠装置１は、施錠杆５の摺動に連動して鉤部材７を回動させるため、組立において、施錠杆５に形成した突起１１を鉤部材７の基部７ｅの長孔１０に挿入し、突起１１を長孔１０に係合させるとともに、施錠杆５の上下端部の長孔１９と鉤部材７の支軸６を挿通する挿通孔（図示せず）とを合致させ、支軸６を施錠杆の長孔１９、鉤部材７の支軸６の挿通孔に挿通し、支持板３に固定すればよい。これによって、従来の施錠装置のように、鉤部材と施錠杆とを連結ピンでかしめて連結する工程が必要なくなり、製造コストを抑えることができる。
【００４３】
また、従来の施錠装置においては、鉤部材の回動を可能とする支軸の軸線と、鉤部材と施錠杆を連結する連結ピンの軸線とが平行になっていないと、鉤部材の回動、および／または施錠杆の摺動に無理な力を必要としたり、きしんだりすることから、鉤部材と受け金具との係合が円滑、確実に行われなかったり、係合状態が不十分であったり、キー操作による解錠が円滑、容易に行い難いといった欠点があったが、この施錠装置では、かかる欠点がなく、施錠・解錠が円滑で確実であり、しかも、容易に行うことができる。
【００４４】
また、前面枠３７が本体枠３８に対し閉鎖された施錠状態では、支持板３の凹部３ａ、３ａに受け金具１４、１４が収まっていることから、前面枠３７を無理に持ち上げて、鉤部材７、７と受け金具１４、１４との係合を外そうとしても、凹部３ａ、３ａの下縁が受け金具１４、１４に当接して持ち上げることができない。
【００４５】
前記施錠状態において、キー（図示せず）をシリンダ錠１７に差し込み、キー操作によりカム板３１を図２における反時計方向に回動させると、カム板３１の第１突部３１ａが、施錠杆５の係合孔３２の下辺に係合し、施錠杆５が引張バネ２６の付勢力に抗し下方に摺動することで、鉤部材７の基部７ｅの長孔１０に挿入された突起１１によって、鉤部材７が支軸６の軸心Ｏを中心として上方に回動し、鉤部材７、７と受け金具１４、１４との係合が外れ解錠される。
そこで、蝶番を支点にして前面枠３７を開放方向に回動させると、当接部材１３が、受部材１６を下り、蝶番を支点に前面枠３７を本体枠３８に対し開くことができる。
このキー操作を終了させると、施錠杆５は引張バネ２６の付勢力により、図１で示した位置に戻る。
【００４６】
また、施錠状態において、キーをシリンダ錠１７に差し込み、カム板３１を図２の時計方向に回動させると、カム板３１の第２突部がリセット作動杆８の係合孔３４の上辺に係合し、リセット作動杆８が引張バネ２６の付勢力に抗し上方に摺動することで、リセット作動片２２によって図示していないリセットスイッチを作動させ、リセット信号を出力させる。該リセット信号によってパチスロ機のリセットが行われる。キー操作によるリセット操作を解除すると、リセット作動杆８は引張バネ２６の付勢力により、図２に示す初期位置に戻る。
受け金具１４は、円柱状のピンとしているが、これに限られず、例えば、図１０に示すように六角柱状のピン３９であってもよく、また、図１１に示すように楕円柱状のピン４０であってもよく、各種の断面形状のピンが採用可能である。
【００４７】
施錠装置としては、前記した構造に限定されるものではなく、各種の態様が採用可能であり、例えば、以下のように変更された構造のものであってもよい。以下においては、前述した施錠装置との主な相違点についてのみ説明し、その他の点については詳細な説明は省略する。
【００４８】
図１２に示す施錠装置４１は、鉤部材４２の基部４２ａの取付板寄りの位置において、支軸４３を中心に回動可能とされ、基部４２ａの切欠寄りの位置に穿設された長孔４４に、施錠杆４５に形成された支持板側に突出する突起４６が挿入され、突起４６と長孔４４との係合によって、施錠杆４５の摺動に連動し、鉤部材４２が支軸４３を中心に施錠位置と解錠位置との間で回動できるようになっているものである。この構造においては、施錠杆４５を上方に移動させることで解錠できることから、カム板を時計方向に回動させたときに、施錠杆の係合孔に下方から係合して、施錠杆を上方に摺動させるようにする等適宜の変更を行えばよい。
【００４９】
なお、図１３に示す施錠装置５１は参考例であって、鈎部材５２の基部５２ａの取付板２寄りの位置において、鉤部材５２を施錠杆５３と連結ピン５４で連結し、施錠杆５３の上下への摺動に連動し、鉤部材５２が支軸５５を中心に施錠位置と解錠位置との間で回動できるようにしたものである。図１３においては、鉤部材５２には、連結ピン５４を挿通する孔は長孔としている。
【００５０】
また、図示していないが、鉤部材には、受け金具との当接を確実にするため、鉤部材の鉤爪部の外側縁を折り曲げ、受け金具との当接面を形成したものであってもよい。
【００５１】
以上においては、施錠杆に鉤部材側へ突出する突起を設け、鉤部材に該突起と係合する長孔を穿設したものとして示したが、これに限られず、鉤部材に施錠杆側へ突出する突起を設け、施錠杆に該突起と係合する長孔を穿設することで、施錠杆の上下への摺動に連動し、鉤部材が支軸を中心に施錠位置と解錠位置との間で回動できるようにしてもよいことはいうまでもない。そして、突起は、プレスによるダボ出し加工によるものだけでなく、バーリング加工によって形成したもの等であってもよい。
【００５２】
図１４は、鉤部材６１に施錠杆側へ突出する突起６２を設け、施錠杆６３に該突起６２と係合する長孔６４を穿設することで、施錠杆６３の上下への摺動に連動し、鉤部材６１が支軸６５を中心に施錠位置と解錠位置との間で回動できるようにした施錠装置６６である。
鉤部材６１に設けられた突起６２は、図１５に示すようにバーリング加工によって形成されたものとして示されている。そして、この施錠装置６６においては、鉤部材６１に穿設した支軸の挿通孔の周囲に、例えば、エンボシング加工による支持板側へ僅かな浮き出し６１ａが形成され、支持板３との接触面積が少なくなるようになっている。
その他、図１に示す施錠装置と同一の構成については、同一の番号を付し、説明を省略する。
【００５３】
施錠装置としては、パチスロ機に適したものとして説明したが、これに限られず、リセット作動杆に代えパチンコ機用のガラス枠解錠操作杆を採用することで、パチンコ機に適した施錠装置とすることができる。
【００５４】
【発明の効果】
この発明は、以上詳しく説明したように構成されているので、以下に記載されるような効果を奏する。
すなわち、遊技機の施錠装置において、鉤部材の一側縁に受け金具を受け入れる切欠が設けられ、該切欠により前記鉤部材の先端側に鉤爪部が形成され、該鉤爪部の前記切欠側が前記支軸の軸心を中心とする円弧形状の係合用縁となっており、前記鉤部材の施錠位置における前記鉤部材の係合用縁と前記施錠杆の摺動方向と平行な接線との接点が、前記施錠杆の摺動方向と直交し前記支軸の軸心を通る直線上に位置するように設定されていることにより、鉤部材は、受け金具を受け入れるサイズの切欠を備え、その切欠側の受け金具と係合する係合用縁が円弧形状となっており、受け金具との係合用縁との間に間隙を生ずるように設定しなくても、高々係合用縁と受け金具との間で僅かな摩擦力が発生する程度で、鉤部材は支軸を中心に円滑に回動することになり、確実に施錠することができるし、また、解錠も同様に円滑に行うことができる。
また、遊技機の施錠装置において、施錠杆または前記鉤部材のいずれか一方にプレスによるダボ出し加工またはバーリング加工によって形成された突起が、他方に穿設された長孔に係合することで、前記施錠杆の摺動に連動して前記鉤部材が施錠位置と解錠位置との間で回動可能となっていることにより、施錠杆または鉤部材のいずれか一方に形成された前記突起を、他方に穿設された長孔に係合させることで、施錠杆の摺動に連動して、鉤部材を回動させることが可能となり、従来の施錠装置のように、鉤部材と施錠杆とを連結ピンでかしめて連結する工程が必要なく、製造コストを低減することができる。また、従来の施錠装置のような支持板に連結ピンのかしめ部の逃がし用の湾曲長孔を穿設する必要がないことから、この点からも製造コストを低減することにもなる。また、従来の施錠装置においては、鉤部材の回動を可能とする支軸の軸線と、鉤部材と施錠杆を連結する連結ピンの軸線とが平行になっていないと、鉤部材の回動、および／または施錠杆の摺動に無理な力を必要としたり、きしんだりすることから、鉤部材と受け金具との係合が円滑、確実に行われなかったり、係合状態が不十分であったり、キー操作による解錠が円滑、容易に行い難いといった欠点があったが、この施錠装置では、かかる欠点がなく、施錠・解錠が円滑で確実であり、しかも、容易に行うことができる。
なお、本発明のその他の作用・効果については、実施の形態および図面からも明らかである。
【図面の簡単な説明】
【図１】  この発明の遊技機の施錠装置の１態様を示す左側面図である。
【図２】  図１に示す施錠装置の背面図である。
【図３】  図１に示す施錠装置の部分拡大図である。
【図４】  図３におけるＡ−Ａ線断面図である。
【図５】  図１に示す施錠装置の鉤部材と係合する受け金具の左側面図である。
【図６】  図５に示す受け金具の正面図である。
【図７】  図１に示す施錠装置をパチスロ機に取り付けた状態を示す説明図である。
【図８】  図１に示す施錠装置の施錠動作の説明図で、（ａ）は施錠時、（ｂ）は施錠状態を示す。
【図９】  図１に示す施錠装置の施錠不良状態を示す説明図である。
【図１０】  図１に示す施錠装置の鉤部材と係合する受け金具の他の形態を示す部分拡大図である。
【図１１】  図１に示す施錠装置の鉤部材と係合する受け金具のさらに他の形態を示す部分拡大図である。
【図１２】  この発明の施錠装置の他の形態を示す左側面部分図である。
【図１３】  施錠装置の一参考例を示す左側面部分拡大図である。
【図１４】  この発明の施錠装置のさらに他の形態を示す左側面部分拡大図である。
【図１５】  図１４に示す施錠装置の平面図である。
【図１６】  従来の施錠装置をパチスロ機に取り付けた状態を示す説明図である。
【図１７】  図１６に示す従来の施錠装置の部分拡大図である。
【図１８】  図１６に示す従来の施錠装置の施錠不良状態の一例を示す部分拡大図である。
【図１９】  従来の施錠装置の他の例を示す部分拡大図である。
【図２０】  従来の施錠装置のさらに他の例を示す部分拡大図である。
【図２１】  図１６に示す施錠装置の部分分解拡大斜視図である。
【図１】
0004306992.tif 000002
【図２】
0004306992.tif 000003
【図３】
0004306992.tif 000004
【図４】
0004306992.tif 000005
【図５】
0004306992.tif 000006
【図６】
0004306992.tif 000007
【図７】
0004306992.tif 000008
【図８】
0004306992.tif 000009
【図９】
0004306992.tif 000010
【図１０】
0004306992.tif 000011
【図１１】
0004306992.tif 000012
【図１２】
0004306992.tif 000013
【図１３】
0004306992.tif 000014
【図１４】
0004306992.tif 000015
【図１５】
0004306992.tif 000016
【図１６】
0004306992.tif 000017
【図１７】
0004306992.tif 000018
【図１８】
0004306992.tif 000019
【図１９】
0004306992.tif 000020
【図２０】
0004306992.tif 000021
【図２１】
0004306992.tif 000022